(57)【要約】【目的】可及的コストを掛けずに優れたイルミネーション効果を発現する簡便なディスクトレイとこれを備えたディスク駆動装置を提供する。【構成】ディスクトレイ６が筺体１の排出方向及び挿入方向に移動可能に設けられ、筺体１内にディスクトレイ６が挿入されている時にその一端面が出光部６３として筺体１の前面部から露出されるディスク駆動装置である。ディスクトレイ６は、光透過性を有するトレイ本体６１にディスクセット部６２を形成する。トレイ本体６１には、その内部に伝搬せしめる光を発生する光源７を配するための光源取付部６５と、光源７からトレイ本体６１内に伝搬された光を反射せしめてディスクセット部６２の光ディスクに照射する反射面６６とを有する。反射面６６から光ディスクに照射された光は、光ディスクにより反射されてトレイ本体６１内に再入射された後、筺体１の前面部から露出するトレイ本体の一端面６３より外部放射する。【選択図】図３
2006092697.tif 000002
【特許請求の範囲】
【請求項１】
光透過性を有する導光部を備えたトレイ本体に光ディスクを配するディスクセット部が形成されるディスクトレイであって、
前記トレイ本体は、前記導光部に伝搬せしめる光を発生する光源を配するための光源取付部を有すると共に、前記光源からトレイ本体内に伝搬された光を反射せしめて前記ディスクセット部に配された光ディスクの盤面に照射する反射面を有し、その反射面から光ディスクの盤面に照射された光が、前記光ディスクにより反射されてトレイ本体内に再入射された後に該トレイ本体の一端面より外部放射するよう構成されたことを特徴とするディスクトレイ。
【請求項２】
光ディスクを配するディスクセット部を形成するディスクトレイが筺体に対して排出方向及び挿入方向に移動可能に設けられ、前記筺体内にディスクトレイが挿入されている時にその排出方向一端面が筺体の前面部から露出されるディスク駆動装置において、
前記ディスクトレイは、光透過性を有する導光部を備えたトレイ本体に前記ディスクセット部が形成されると共に、前記トレイ本体又は前記筺体の内部には、前記トレイ本体の前記導光部に伝搬せしめる光を発生する光源を配するための光源取付部が設けられ、
前記トレイ本体には、前記光源からトレイ本体内に伝搬された光を反射せしめて前記ディスクセット部に配された光ディスクの盤面に照射する反射面が形成され、その反射面から光ディスクの盤面に照射された光が、前記光ディスクにより反射されてトレイ本体内に再入射した後に前記筺体の前面部から露出するトレイ本体の一端面より外部放射するよう構成したことを特徴とするディスク駆動装置。
【発明の詳細な説明】
【技術分野】
【０００１】
本発明は、ＣＤ、ＣＤ−Ｒ、又はＤＶＤといった光ディスクに楽曲などの情報を記録したり、その記録情報を再生するのに用いられるディスク駆動装置に係わり、特に優れたイルミネーション効果を発現するディスクトレイ、及び該トレイを備えたディスク駆動装置に関する。
【背景技術】
【０００２】
従来、係るディスク駆動装置として、光ディスク（以下、単にディスクともいう）を手で直接出し入れするもの、マガジンに装填された多数のディスクの中から選択された一枚を自動的に出し入れするオートチェンジャ機能を備えたもの、及びディスクをトレイに載せて出し入れするものなどが知られる。
【０００３】
このうち、トレイを備えたディスク駆動装置によれば、ディスクの再生時などに際して所望のディスクをトレイに載せ、その状態でトレイを筺体内部に押し込むと、ディスクがその中心部をターンテーブルとクランプ盤とで挟み込まれてトレイ上に浮上した状態で支持され、ディスクを交換する時などにはディスクがトレイ上に戻されて筺体外部へのトレイの排出が行われる。尚、トレイにはディスク中心部のクランプ動作などが適切に行われるようディスクを定位置に配する円形凹状のディスクセット部が形成される。
【０００４】
特に、以上のようなトレイを備えたディスク駆動装置として、プレーヤ本体の前面パネルに透明板によって構成された表示窓を設けると共に、前記プレーヤ本体内に光源と光ガイドとを設け、プレーヤ本体内に装着された光ディスクの記録面に光源からの光を照射して、その記録面で反射された虹色の光を光ガイドによって表示窓に照射し、その表示窓の透明板を虹色に照明するようにしたものが知られる（例えば、特許文献１）。
【０００５】
【特許文献１】実開昭６１−９００９５号公報（請求の範囲）
【発明の開示】
【発明が解決しようとする課題】
【０００６】
然しながら、特許文献１によれば、トレイがプレーヤ本体内に挿入された状態において、ディスクの有無を外部から視認することはできても、そのためにプレーヤ本体の前面パネルに透明板によって構成される表示窓を設けているのでコスト高になる。
【０００７】
又、ディスクがプレーヤ本体内に存在する場合には表示窓が虹色に光ってイルミネーション効果が発現されるものの、プレーヤ本体内には光源からディスクに照射された光を表示窓に導くべく反射鏡（光ガイド）が設けられるので一層のコスト高を余儀なくされる。
【０００８】
更に、光源はディスクトレイに離間してプレーヤ本体内の上方に配されることから、表示窓に導き得る光量は少なく、しかもトレイの排出時には光源による表示窓の照明効果が失われるので暗所においてトレイ上のディスクを容易に取り出すことはできない。
【０００９】
本発明は以上のような事情に鑑みて成されたものであり、その目的は可及的コストを掛けずに優れたイルミネーション効果を発現する簡便なディスクトレイとこれを備えたディスク駆動装置を提供することにある。
【課題を解決するための手段】
【００１０】
本発明は上記目的を達成するため、光透過性を有する導光部を備えたトレイ本体６１に光ディスクを配するディスクセット部６２が形成されるディスクトレイ６であって、トレイ本体６１は、前記導光部に伝搬せしめる光を発生する光源７を配するための光源取付部６５を有すると共に、光源７からトレイ本体６１内に伝搬された光を反射せしめてディスクセット部６２に配された光ディスクの盤面に照射する反射面６６を有し、その反射面６６から光ディスクの盤面に照射された光が、光ディスクにより反射されてトレイ本体６１内に再入射された後に該トレイ本体の一端面６３より外部放射するよう構成されたことを特徴とする。
【００１１】
又、光ディスクを配するディスクセット部６２を形成するディスクトレイ６が筺体１に対して排出方向及び挿入方向に移動可能に設けられ、筺体１内にディスクトレイ６が挿入されている時にその排出方向一端面６３が筺体１の前面部から露出されるディスク駆動装置において、ディスクトレイ６は、光透過性を有する導光部を備えたトレイ本体６１にディスクセット部６２が形成されると共に、トレイ本体６１又は筺体１の内部には、トレイ本体６１の導光部に伝搬せしめる光を発生する光源７を配するための光源取付部６５が設けられ、トレイ本体６１には、光源７からトレイ本体６１内に伝搬された光を反射せしめてディスクセット部６２に配された光ディスクの盤面に照射する反射面６６が形成され、その反射面６６から光ディスクの盤面に照射された光が、光ディスクにより反射されてトレイ本体６１内に再入射した後に筺体１の前面部から露出するトレイ本体６１の一端面６３より外部放射するよう構成したことを特徴とする。
【００１２】
尚、光源７は赤、緑、青といった単色光を発生するものでもよいが、好ましくは白色光を発生する白色ＬＥＤや白熱電球を用いることが望ましく、これによって光ディスクの表面色に応じた変化に富んだ多彩な照明を実現できる。
【発明の効果】
【００１３】
本発明のディスクトレイによれば、光透過性を有するトレイ本体内に光源の光を伝搬せしめることから、トレイ本体全体を光らせて優れたイルミネーション効果が得られる。
【００１４】
特に、光源からトレイ本体内に伝搬せしめた光をトレイ本体に形成した反射面によりディスクセット部に配された光ディスクに照射すると共に、光ディスクによる反射光がトレイ本体内を透過してその一端面より外部放射するようにしていることから、光ディスクのピットによる光の回折によりトレイ本体の一端面をスペクトル状に光らせることができ、しかも光源の光が光ディスクと同色の光波長成分を含むものであれば、合成された光源の光色に拘らず、トレイ本体の一端面から外部放射される照明光に光ディスクの色を反映させることができる。
【００１５】
又、係るディスクトレイを用いたディスク駆動装置によれば、筺体に従来例の如く反射鏡や表示窓を設けずに筺体の前面部に露出するトレイ本体の一端面から幻想的な光彩を放つことができる。
【００１６】
更に、光源の光をトレイ本体内に伝搬せしめることから、トレイ本体の一端面より外部放射される光量を多くすることができ、しかもトレイ本体を筺体外部に排出したときでもトレイ本体を通じて光源の光が外部に漏れ出すので、暗所においてもディスクセット部に配された光ディスクの取り出しを容易かつ適切に行うことができる。
【発明を実施するための最良の形態】
【００１７】
以下、図面に基づいて本発明を詳しく説明する。図１は係るディスク駆動装置を示した斜視概略図である。図１において、１は装置の筺体（外装ほか内部のシャーシを含む）であり、その前面は操作部２として内部の制御回路に特定の制御信号を与える操作スイッチ類３を備えるほか、この操作部３には内部に設けられる駆動部の動作状態などを示す表示部４（本例においてバックライトを備える液晶ディスプレイ）と、スリット状の開口部５が設けられる。６は開口部５の位置で筺体１に対する挿入方向及び排出方向（図示矢印方向）の移動が可能とされるディスクトレイであり、このディスクトレイ６にはＣＤやＤＶＤといった光ディスクＤが載せられる。
【００１８】
尚、操作スイッチ類３には主電源スイッチほか、光ディスクの再生駆動釦、頭出し、一時停止、並びにイジェクトスイッチ（光ディスク排出用）などが含まれる。
【００１９】
そして、係るディスク駆動装置によれば、開口部５より水平に張り出すディスクトレイ６上に所望の光ディスクＤを載せ、その光ディスクＤをディスクトレイ６に載せたまま筺体１内に挿入して情報の再生又は記録を実行することができ、光ディスクＤを交換するときなどにはイジェクトスイッチの押圧操作を以て当該光ディスクＤをディスクトレイ６に載せたまま開口部５より筺体１の外部へ排出することができる。
【００２０】
図２は係るディスクトレイを示した平面図である。図２において、係るディスクトレイ６は、アクリル樹脂やポリカーボネートなどの透明材料から成る光透過性を有する導光部を備えると共にトレイ本体６１の上部表面にディスクセット部６２を形成したもので、その排出方向一端面（前端面）は後述する光源７からの光を外部に集中的に放射する出光部６３とされる。
【００２１】
ディスクセット部６２は同心円状の凹地で成り、このうち外側の大径穴６２Ａには大径の光ディスク（例えば、直径１２cmのＣＤ）が載置され、その内側に形成される小径穴６２Ｂには小径の光ディスク（例えば、直径８cmのＣＤ）が載置可能とされる。
【００２２】
又、トレイ本体６１の中央部には、ディスクセット部６２の中心部からその半径方向に沿って切欠孔６４が開設される。この切欠孔６４はディスクセット部６２に載置された光ディスクの下方からその盤面（情報記録面）にレーザ光を照射するためのものであり、これはレーザ光を送受しながら光ディスクの半径方向に移動する光ピックアップの移動経路に沿って形成され、特に切欠孔６４の一端部では光ディスクの下面中心部を支持するターンテーブルが通過し得るようになっている。
【００２３】
更に、トレイ本体６１にはディスクセット部６２よりも排出方向後部に２つの光源取付部６５（本例において矩形の孔）が形成される。そして、光源取付部６５にはその前端面に臨んで発光ダイオードなどの発光体から成る光源７が設けられ、その光源７からディスクセット部６２が形成されるトレイ本体６１の排出方向前方（図２の矢印方向）に向かって光が放たれるようにしてある。
【００２４】
ここに、トレイ本体６１は、光源７より発せられた光を誘導するように光透過性を有して形成されていることから、光源７より発せられた光はトレイ本体６１の厚さ方向に対して直交する方向からトレイ本体６１内に入射し、その入射光がトレイ本体６１内を出光部６３に向かって伝搬し、その一部が段差を有するディスクセット部６２（大径穴６２Ａ及び小径穴６２Ｂ）の後部外周縁より集中的に外部放射される。よって、ディスクセット部６２の後部外周縁は高輝度で発光する。
【００２５】
又、光源７から発せられた光の多くはトレイ本体６１の排出方向一端面（出光部６３）まで達し、その出光部６３からも光源７の光が集中的に外部放射される。よって、トレイ本体の出光部６３も高輝度で発光する。このため、暗所などにおいてイルミネーション効果が得られ、しかもディスクセット部６２の前後が高輝度で発光することにより暗所でも光ディスクを載置すべき位置が明確となる。
【００２６】
特に、図３から明らかなように、本発明によれば、ディスクセット部６２の形成側とは逆の面側（裏面側）でトレイ本体６１にディスクセット部６２に対して傾斜する反射面６６を形成し、光源７からトレイ本体６１内に伝搬された光が係る反射面６６により反射され、その反射光がディスクセット部６２に配された光ディスクＤの盤面（情報記録面）に照射され、更にその照射光が光ディスクＤの盤面で反射されてトレイ本体６１内に再入射された後にトレイ本体６１の前部一端面（出光部６３）より外部放射するようにしている。
【００２７】
尚、光ディスクＤの盤面で反射された光は、トレイ本体６１内への入射後、出光部６３より外部に直接放射されるほか、その一部は反射面６６より出光部６３側におけるトレイ本体の裏面部６７（第２の反射面）で反射された後に出光部６３より外部放射される。このため、出光部６３の全面を視野角θをもって光らすことができるが、係る視野角θは反射面６６や裏面部６７の角度により変えることができる。但し、反射面６６は光源７からの光をディスクセット部６２側に向かって全反射する角度に設定することが好ましい。
【００２８】
一方、図４のように、トレイ本体６１の裏側側縁にはラック６８及びガイド溝６９が平行に形成される。ラック６８には筺体１の内部に設けられる図示せぬピニオンが噛み合わされ、ガイド溝６９には図示せぬピンが差し込まれる。而して、トレイ本体６１は上記ピニオンの回転駆動により水平状態を保ったまま前後（筺体１に対する排出方向及び挿入方向）に往復移動して筺体１の内外に出し入れされるようになる。
【００２９】
図５は、係るトレイ本体６が筺体１の内部に引き込まれて格納された状態であり、このときディスクセット部６２に載置された光ディスクの中心はターンテーブル８とこれに対向するクランプ盤９の位置に合致する。そして、光ディスクを再生するときなどには、ターンテーブル８の浮上により光ディスクの中心がターンテーブル８とクランプ盤９とで挟み込まれ、係る光ディスクがディスクセット部６２から稍離間した位置で回転されつつ、その半径方向に移動する光ピックアップ１０により光ディスクの信号が読み取られることになる。尚、ターンテーブル８と光ピックアップ１０は、光ディスクに対して再生動作又は再生動作と記録動作とを行う駆動部を構成する。
【００３０】
図５において、１１は上記の駆動部や光源７の制御を行う制御回路を構成する制御部（マイクロコンピュータ）であり、これはトレイ本体６１の下方で筺体１の内部に固設され、光源７とはトレイ本体６１の移動を阻害せぬよう帯状のフレキシブル配線１２にて接続される。つまり、フレキシブル配線１２は可撓性を有することは勿論、トレイ本体６１の移動量を考慮して長さが決められ、トレイ本体６１の排出時も光源７と接続状態を保って必要な電力を供給できるようにしてある。
【００３１】
又、図５から明らかなように、トレイ本体６１を筺体１内に挿入したとき、出光部６３を成すトレイ本体６１の一端面は、筺体１の前面開口部５の位置にあって外部に露出するようになっている。又、係る出光部６３は、開口部５を密閉する鍔６３Ａを形成して筺体１内に塵埃などが侵入するのを防止する。
【００３２】
そして、係る出光部６３は上記のように光源７からの光を外部放射し、トレイ本体６１が筺体１内に挿入された状態で開口部５の位置を光らして優れたイルミネーション効果を発現する。しかも、光源７の光はトレイ本体６１内を伝搬されることから、トレイ本体６１を筺体１の外部に排出したときでもディスクセット部６２に光ディスクが配されていれば出光部６３が光るので、暗所でも光ディスクの取り出しを容易かつ適切に行うことができる。
【００３３】
尚、ディスクセット部６２に光ディスクが配されていない場合でも、上記のようにディスクセット部６２の一部が高輝度で発光するので、ディスクセット部６２に対する光ディスクの取り出し並びに載置を暗所で行うことが可能である。
【００３４】
又、光源７は赤、緑、青といった単色光を発生するものでもよいが、好ましくは白色光を発生する白色ＬＥＤや白熱電球を用いることが望ましく、これによって光ディスクの表面色に応じた変化に富んだ多彩な照明を実現できる。
【００３５】
つまり、光源７が例えば７色の光波長成分を含んだ白色光を発生するものであれば、光ディスクのピットによる光の回折によりトレイ本体６１の一端面（出光部６３）をスペクトル状に光らせることができ、しかも光源７の光が光ディスクと同色の光波長成分を含むものであれば、合成された光源７の光色に拘らず、トレイ本体６１の一端面から外部放射される照明光に光ディスクの色を反映させることができる。
【００３６】
以上、本発明について説明したが、光源７は光の三原色である赤、緑、青の三色ＬＥＤでも、赤、緑の２色ＬＥＤでも、赤その他の単色ＬＥＤでもよい。
【００３７】
更に、上記例ではトレイ本体６１に光源取付部６５を設けたが、トレイ本体６１が筺体１内に挿入されたとき出光部６３に対向するトレイ本体６１の後端面を臨む位置で、筺体１に光源７とその取付部を設けるようにしてもよく、この場合でもディスクセット部６２に光ディスクが配されたトレイ本体６１を筺体１内に挿入したときに出光部６３を良好に光らすことができ、排出時では出光量こそ減じられるものの、光源７の放射光の一部をトレイ本体６１内に導いてこれを出光部６３から外部放射することができる。
【００３８】
又、上記例ではトレイ本体６１を水平状にしてその上のディスクセット部６２に光ディスクが載置されるものとしたが、トレイ本体６１および光ディスクを縦向きにして出し入れする構成のディスク駆動装置でもよい。
【００３９】
又、トレイ本体６１は全体が光透過性を有していてもよく、また本発明の要旨を満たすものであれば部分的に光透過性を付与したものであってもよい。
【図面の簡単な説明】
【００４０】
【図１】本発明に係るディスク駆動装置を示す斜視概略図
【図２】係る装置に用いるディスクトレイの平面図
【図３】ディスクトレイの側面概略図
【図４】ディスクトレイの底面図
【図５】トレイが筺体内に挿入された状態を示す説明図
【符号の説明】
【００４１】
１  筺体
２  操作部
５  開口部
６  ディスクトレイ
６１  トレイ本体
６２  ディスクセット部
６３  出光部（トレイ本体の一端面）
６５  光源取付部
６６  反射面
７  光源
８  ターンテーブル
９  クランプ盤
１０  光ピックアップ
【図１】
2006092697.tif 000003
【図２】
2006092697.tif 000004
【図３】
2006092697.tif 000005
【図４】
2006092697.tif 000006
【図５】
2006092697.tif 000007